(57)【要約】【課題】  第一ボディと第二ボディとが連結されたジョイント式ルアーの屈曲アクションを自然な動きにすることが可能なジョイント式ルアーを提供する。【解決手段】  第一ボディと、第一ボディに対して屈曲アクションを起こす第二ボディと、を備えたジョイント式ルアーであって、第一ボディと第２ボディとの連結部に備えられており、第二ボディの屈曲アクションに伴って第一ボディに対して屈曲抵抗を生じさせうる抵抗部を備えている。【選択図】  図１
2019097526.tif 000002
【特許請求の範囲】
【請求項１】
第一ボディと、
前記第一ボディに対して屈曲アクションを起こす第二ボディと、
を備えたジョイント式ルアーであって、
前記第一ボディと前記第二ボディとの連結部に備えられており、前記第二ボディの屈曲アクションに伴って前記第一ボディに対して屈曲抵抗を生じさせうる抵抗部を備えている、
ことを特徴とするジョイント式ルアー。
【請求項２】
前記抵抗部は、前記第二ボディが屈曲アクションを起こす支点となる支持軸の部分で回動抵抗又は摺動抵抗を生じさせうる抵抗体を有している、
請求項１に記載のジョイント式ルアー。
【請求項３】
前記抵抗体は、前記第一ボディの前記支持軸に支持される穴部と、
前記第二ボディに向けて突出する対向したアームと、を有しており、
前記第二ボディは、前記アームに挟まれた係合部を有している、
請求項２に記載のジョイント式ルアー。
【請求項４】
前記抵抗体は、前記第一ボディの前記支持軸に沿って横方向にスライド可能な開口穴と、前記第二ボディに向けて突出する対向した係合部と、を有しており、
前記第二ボディは、前記抵抗体を前記開口穴の範囲で前記支持軸と交差する方向に摺動させる係合部を有している、
請求項２に記載のジョイント式ルアー。
【請求項５】
前記抵抗体は、前記第一ボディの前記支持軸に支持される穴部と、前記第二ボディに向けて突出する係合部と、を有しており、
前記第二ボディは、前記係合部の一部を収容する凹状部を有している、
請求項２に記載のジョイント式ルアー。
【発明の詳細な説明】
【技術分野】
【０００１】
本発明は、釣りに用いられるジョイント式ルアーに関する。
【背景技術】
【０００２】
ルアーを用いたルアーフィッシングが普及している。ルアーを用いたルアーフィッシングによる捕獲対象は、主として小魚を捕食する大型の魚（以下、「フィッシュイータ」という）である。ルアーは、キャストによって空中を飛行して着水する。ルアーは、着水後に自重で水中に沈降する。ルアーは、リールでラインを巻き取るリトリーブによって所望の水深（レンジ）で泳がされる。フィッシュイータは、このルアーに食いつく。ルアーにはフックが取り付けられている。フィッシュイータは、ルアーに食いついてフックが刺さることで釣り上げることができる。この種のルアーとして、ボディが第一ボディと第二ボディとに分割されたジョイント式ルアーがある。ジョイント式ルアーは、第一ボディと第二ボディとの間に屈曲自在な連結部がある。
【０００３】
例えば、この種のルアーとして、複数の分割体によってルアー本体が構成されたものがある（例えば、特許文献１参照）。このルアーでは、複数の分割体を可撓性のある芯材で連結している。
【先行技術文献】
【特許文献】
【０００４】
【特許文献１】特開２０１３−００９６８７号公報
【発明の概要】
【発明が解決しようとする課題】
【０００５】
ところで、ルアーは、魚の泳ぎに似せた自然な動きで泳がせることでフィッシュイータに食いつかせる。ジョイント式ルアーは、リトリーブで受ける水圧によって第一ボディに対して第二ボディが左右方向に屈曲アクションを起こす。ジョイント式ルアーは、第二ボディを左右方向に屈曲アクションさせることで魚の泳ぎに似せた泳ぎとしている。
【０００６】
しかし、一般的なジョイント式ルアーの連結部は、第一ボディと第二ボディとを単に屈曲自在なように連結する構造である。このため、第二ボディの屈曲アクションを魚の自然な動きに似せることが難しい。第二ボディの屈曲アクションが不自然な場合、フィッシュイータの食い付きが渋る。
【０００７】
なお、上記先行技術では、複数の分割体を可撓性を有する芯材で連結する構造である。このため、各分割体の形状、芯材の材質選定などが難しい。
【０００８】
そこで、本発明は、第一ボディと第二ボディとが連結されたジョイント式ルアーの屈曲アクションを自然な動きにすることが可能なジョイント式ルアーを提供することを目的とする。
【課題を解決するための手段】
【０００９】
上記目的を達成するために、本発明は、第一ボディと、前記第一ボディに対して屈曲アクションを起こす第二ボディと、を備えたジョイント式ルアーであって、前記第一ボディと前記第二ボディとの連結部に備えられており、前記第二ボディの屈曲アクションに伴って前記第一ボディに対して屈曲抵抗を生じさせうる抵抗部を備えている。この明細書及び特許請求の範囲の書類中における「屈曲抵抗」は、屈曲時に生じる抵抗であって、「回動抵抗」、「摺動抵抗」を含む。
【００１０】
この構成により、第一ボディに対して屈曲アクションを起こす第二ボディは、連結部に備えられた抵抗部による屈曲抵抗で屈曲速度が抑えられる。よって、第二ボディが第一ボディに対して自然な動きの屈曲アクションを起こすようにできる。
【００１１】
また、前記抵抗部は、前記第二ボディが屈曲アクションを起こす支点となる支持軸の部分で回動抵抗又は摺動抵抗を生じさせうる抵抗体を有していてもよい。このように構成すれば、第二ボディが屈曲軸を中心に屈曲アクションを起こすことで抵抗体により回動抵抗又は摺動抵抗を生じさせる。よって、第二ボディは、屈曲アクション時に回動抵抗又は摺動抵抗で動作速度が抑えられて自然な屈曲アクションとなる。
【００１２】
また、前記抵抗体は、前記第一ボディの前記支持軸に支持される穴部と、前記第二ボディに向けて突出する対向したアームと、を有しており、前記第二ボディは、前記アームに挟まれる係合部を有していてもよい。このように構成すれば、抵抗体は、穴部と支持軸との間で回動抵抗を生じながら回動して回動速度が抑えられる。これにより、第二ボディは、第一ボディに対する屈曲速度が抑えられて自然な屈曲アクションとなる。
【００１３】
また、前記抵抗体は、前記第一ボディの前記支持軸に沿って横方向にスライド可能な開口穴と、前記第二ボディに向けて突出する対向したアームと、を有しており、前記第二ボディは、前記抵抗体を前記開口穴の範囲で前記支持軸と交差する方向に摺動させる係合部を有していてもよい。このように構成すれば、抵抗体は、開口穴が支持軸に沿って横方向にスライドするときに摺動抵抗を生じながら摺動してスライド速度が抑えられる。これにより、第二ボディは、第一ボディに対する屈曲速度が抑えられて自然な屈曲アクションとなる。
【００１４】
また、前記抵抗体は、前記第一ボディの前記支持軸に支持される穴部と、前記第二ボディに向けて突出する係合部と、を有しており、前記第二ボディは、前記係合部の一部を収容する凹状部を有していてもよい。このように構成すれば、抵抗体は、穴部と支持軸との間で回動抵抗を生じながら回動して回動速度が抑えられる。これにより、第二ボディは、第一ボディに対する屈曲速度が抑えられて自然な屈曲アクションとなる。
【発明の効果】
【００１５】
本発明によれば、第一ボディと第二ボディとが連結されたジョイント式ルアーにおける屈曲アクションの速度を屈曲抵抗によって抑えることが可能となる。よって、第一ボディに対する第二ボディの屈曲アクションを自然な動きにすることが可能となる。
【図面の簡単な説明】
【００１６】
【図１】図１は、本発明の第１実施形態に係る第１ジョイント式ルアーの全体を示す側面図である。
【図２】図２は、図１に示すII−II拡大断面図である。
【図３】図３は、図１に示すIII−III拡大断面図である。
【図４】図４は、図１に示す第１ジョイント式ルアーの屈曲アクション時の図面であり、（Ａ）は屈曲始めを示す断面図、（Ｂ）は屈曲終りを示す断面図である。
【図５】図５は、本発明の第２実施形態に係る第２ジョイント式ルアーの図２と同一断面における断面図である。
【図６】図６は、図５に示すVI−VI拡大断面図である。
【図７】図７は、図５に示す第２ジョイント式ルアーの屈曲アクション時の断面図である。
【図８】図８は、本発明の第３実施形態に係る第３ジョイント式ルアーの図２と同一断面における断面図である。
【図９】図９は、図８に示す第３ジョイント式ルアーの屈曲アクション時の断面図である。
【発明を実施するための形態】
【００１７】
以下、本発明の実施形態を図面に基づいて説明する。以下の実施形態では、小魚の形態を摸したジョイント式ルアー１０を例に説明する。図１に示す第１実施形態に係る第１ジョイント式ルアー１０と、図５に示す第２実施形態に係る第２ジョイント式ルアー５０及び図７に示す第３実施形態に係る第３ジョイント式ルアー６０は全体構成が共通する。このため、図１の第１ジョイント式ルアー１０で全体構成を説明し、図５の第２ジョイント式ルアー５０及び図７の第３ジョイント式ルアー６０では全体構成の説明を省略する。また、以下の実施形態では、ヘッド側ボディを第二ボディ１２、テール側ボディを第一ボディ１１としている。この明細書及び特許請求の範囲の書類中における前後方向は、頭部方向を前方、尾びれ方向を後方という。また、前後方向と直交する横方向を左右方向という。なお、以下の実施形態では、フックの図示は省略する。
【００１８】
（第１実施形態に係るジョイント式ルアー）
図１〜図４に基づいて、第１実施形態に係る第１ジョイント式ルアー１０を説明する。図１に示すように、第１ジョイント式ルアー１０は、第二ボディ１２が魚の前半分を摸した形態となっている。第二ボディ１２の前部には、ラインアイ１３が設けられている。第二ボディ１２の下部には、前部フックアイ１４が設けられている。前部フックアイ１４の左右位置には、胸びれ１５が設けられている。第一ボディ１１は、魚の後半分を摸した形態となっている。第一ボディ１１の下部には、後部フックアイ１６が設けられている。第一ボディ１１の上部には、背びれ１７が設けられている。第一ボディ１１の後部には、尾びれ１８が設けられている。尾びれ１８は、軟質材、硬質材のいずれでもよい。そして、上記第二ボディ１２と第一ボディ１１との間に連結部２０が備えられている。
【００１９】
図１及び図２に示すように、連結部２０は、第一ボディ１１に設けられた支持軸２１と、第二ボディ１２に設けられた連結リング２２とを有している。支持軸２１は、第一ボディ１１の前部で上下方向に延在して設けられている。連結リング２２は、第二ボディ１２の後部の上部と下部に設けられている。第二ボディ１２の連結リング２２が設けられる位置には、連結リング２２の配置空間が形成されている。連結リング２２は、前部と後部とにリング部を有しており、前部のリング部が第二ボディ１２に設けられた保持軸２３に保持されている。連結リング２２の後部は、第一ボディ１１の支持軸２１に向けて突出している。連結リング２２は、後部のリング部が第一ボディ１１に設けられた支持軸２１に掛けられている。連結リング２２で連結された第二ボディ１２と第一ボディ１１とは、支持軸２１を中心に屈曲アクションが可能となっている。支持軸２１が、屈曲アクションの支点となる。
【００２０】
そして、上部と下部の連結リング２２の間に、第一ボディ１１に対して第二ボディ１２が屈曲アクションを起こすことで屈曲抵抗を生じさせうる抵抗部３０が備えられている。第１ジョイント式ルアー１０の抵抗部３０は、第一ボディ１１の支持軸２１に挿入される穴部たる支持穴３２を具備した第１抵抗体３１を有している。第１抵抗体３１は、樹脂材料で形成することができる。第１抵抗体３１を樹脂材料とすることで、支持穴３２と支持軸２１との間の摩擦抵抗を適切に設定することができる。第１抵抗体３１は、第一ボディ１１に設けられた抵抗体収容部３６に設けられている。第１抵抗体３１は、下面が抵抗体収容部３６に接した状態で取り付けられている。
【００２１】
図２及び図３に示すように、第１抵抗体３１は、第一ボディ１１から第二ボディ１２に向けて突出する対向したアーム３３を有している。アーム３３は、対向する方向に接触部３４が設けられている。接触部３４は、対向する部分が曲面で形成されている。第二ボディ１２には、後方に突出する係合部たる係合軸３５が備えられている。係合軸３５は、第１抵抗体３１の対向する接触部３４の間に位置するようになっている。すなわち、第１抵抗体３１は、第二ボディ１２に向けて突出したアーム３３で第二ボディ１２の係合軸３５を挟んだ状態となっている。係合軸３５は、接触部３４との間に僅かな隙間Ｓが設けられている。係合軸３５は、接触部３４の対向する曲面部分と線接触させて接触面積を減らしている。接触部３４と係合軸３５との接触面積を減らすことで、係合軸３５が軸方向に移動するときの抵抗を小さくしている。
【００２２】
このように、第１ジョイント式ルアー１０では、第一ボディ１１に第１抵抗体３１を備えさせ、第１抵抗体３１のアーム３３の間に第二ボディ１２から後方に突出する係合軸３５を位置させている。これにより、第一ボディ１１に対して第二ボディ１２が屈曲アクションを起こすと、第二ボディ１２の係合軸３５によって第一ボディ１１の第１抵抗体３１が支持軸２１を中心に回動させられる。
【００２３】
（第１ジョイント式ルアーにおける屈曲抵抗）
図４（Ａ）、（Ｂ）に基づいて、第１ジョイント式ルアー１０において生じる屈曲抵抗を説明する。図４では、第二ボディ１２を図の下向き屈曲させて説明する。図４（Ａ）は、第二ボディ１２の屈曲初めの状態を示している。第１ジョイント式ルアー１０によれば、第一ボディ１１に対して第二ボディ１２が屈曲アクションを起こすと係合軸３５も一体的に屈曲する。第１抵抗体３１は、係合軸３５と接触部３４との間に隙間Ｓがあるため、係合軸３５が屈曲側の接触部３４に当接する屈曲角度θ１まで回動しない。
【００２４】
図４（Ｂ）に示すように、第二ボディ１２がさらに屈曲アクションを起こすと、係合軸３５がアーム３３を介して第１抵抗体３１を支持軸２１を中心に回動させる。この時、第１抵抗体３１は、支持穴３２と支持軸２１との間の接触面Ｆ１で回動抵抗を生じる。この回動抵抗は、第１抵抗体３１が係合軸３５の動作を抑える方向に作用する。
【００２５】
また、この実施形態では、第１抵抗体３１の下面と第一ボディ１１の抵抗体収容部３６との間の接触面Ｆ２（図２）で摺動抵抗を生じる。この摺動抵抗も、第１抵抗体３１が係合軸３５を中心に回動することを抑える方向に作用する。
【００２６】
よって、第二ボディ１２の支持軸２１を中心とする屈曲アクションは、第１抵抗体３１に生じる回動抵抗及び摺動抵抗によって屈曲速度が抑えられる。これにより、第一ボディ１１の第二ボディ１２に対する屈曲速度が抑えられて自然な屈曲アクションとなる。また、図４（Ｂ）に示すように第二ボディ１２が第一ボディ１１に当接するときの衝撃も抑えることができる。
【００２７】
このように、第１ジョイント式ルアー１０によれば、第１抵抗体３１と支持軸２１及び抵抗体収容部３６との間に生じる抵抗（屈曲抵抗）により、第二ボディ１２に対して屈曲アクションを起こす第一ボディ１１の屈曲速度を抑えることができる。よって、第１ジョイント式ルアー１０は、連結部２０における屈曲動作の速度が抑えられて屈曲アクションが魚に似た自然な泳ぎにできる。
【００２８】
図４（Ｂ）の状態は、第二ボディ１２が左右片方に最大の屈曲角度θ２で屈曲した状態である。第二ボディ１２は、後端部が第一ボディ１１に当接して屈曲の限界となっている。その後、第二ボディ１２は、ラインアイ１３に接続されたライン（図示略）が引かれることで、第一ボディ１１とは左右逆方向への屈曲アクションが起こされる。そして、第二ボディ１２は、左右方向への屈曲アクション時には第１抵抗体３１による回動抵抗及び摺動抵抗を生じる。第二ボディ１２は、この回動抵抗及び摺動抵抗により、逆方向への屈曲も速度が抑えられて自然な屈曲アクションとなる。このように、第１ジョイント式ルアー１０の屈曲アクションは、屈曲速度が抑えられた自然な動作が繰り返される。よって、第１ジョイント式ルアー１０によれば、自然な屈曲アクションで連続的に泳がせることが可能となる。
【００２９】
（第２実施形態に係る第２ジョイント式ルアー）
図５〜図７に基づいて、第２実施形態に係る第２ジョイント式ルアー５０を説明する。上記した第１実施形態に係る第１ジョイント式ルアー１０と同一の構成には同一符号を付し、その説明は省略する。
【００３０】
図５に示すように、第２ジョイント式ルアー５０は、抵抗部たる第２抵抗体５１が第一ボディ１１の支持軸２１と交差する左右方向にスライドする摺動体となっている。その他の構成は、第１ジョイント式ルアー１０と同一である。
【００３１】
第２抵抗体５１には、第一ボディ１１の支持軸２１に挿入する開口穴たる長穴５２が設けられている。長穴５２は、支持軸２１に挿入できる大きさで、第２抵抗体５１の左右方向に延在している。第２抵抗体５１は、長穴５２の範囲内で支持軸２１に沿ってスライド可能となっている。長穴５２は、第一ボディ１１に対して第二ボディ１２が最も屈曲した状態で、第２抵抗体５１が左右方向に移動することが可能な長さとなっている（例えば、図７の状態）。開口穴は長穴５２に限定されない。例えば、左右方向に延在する複数の溝などにできる。
【００３２】
図６に示すように、この実施形態では、第２抵抗体５１の左右方向両端部の角部５５が円弧状に形成されている。また、抵抗体収容部３６の底面が、支持軸２１の部分から左右方向に上向き傾斜の傾斜面３７に形成されている。これにより、第２抵抗体５１は、左右方向両端部の角部５５が傾斜面３７に接した状態となっている。
【００３３】
また、第２抵抗体５１は、第一ボディ１１から第二ボディ１２に向けて突出する対向したアーム５３を有している。アーム５３は、対向する方向に接触部５４が設けられている。接触部５４は、対向する部分が曲面で形成されている。第二ボディ１２には、後方に突出する係合軸３５が設けられている。係合軸３５は、第２抵抗体５１の対向する接触部５４の間に位置させられている。これにより、第２抵抗体５１は、第二ボディ１２に向けて突出したアーム５３が第二ボディ１２の係合軸３５と接するようになっている。第２抵抗体５１は、下面が抵抗体収容部３６に接した状態で設けられている（図２の第１抵抗体３１と同様）。
【００３４】
図７に示すように、第２ジョイント式ルアー５０によれば、第一ボディ１１に対して第二ボディ１２が屈曲アクションを起こすと係合軸３５も一体的に屈曲する。そして、第二ボディ１２の係合軸３５が第２抵抗体５１の接触部５４に接触する。その後、第二ボディ１２の屈曲アクションにより係合軸３５も屈曲する。これにより、接触部５４が接触しているアーム５３を有する第２抵抗体５１が横方向にスライドさせられる。
【００３５】
第２抵抗体５１は、スライド時に下面と抵抗体収容部３６との間で摺動抵抗を生じる。第２抵抗体５１は、図６に示すように、スライド時（二点鎖線の状態）に角部５５と抵抗体収容部３６の傾斜した底面３７との間で摺動抵抗を生じる。また、第２抵抗体５１は、抵抗体収容部３６の傾斜した底面３７に沿って左右方向にスライドすることで上昇する。この上昇によっても、開口穴たる長穴５２と支持軸２１との間で摺動抵抗を生じる。第２抵抗体５１は、これらの摺動抵抗により横方向への移動速度が抑えられる。これにより、第２ジョイント式ルアー５０は、第一ボディ１１に対して屈曲アクションを起こす第二ボディ１２の屈曲速度を抑えることができる。よって、第２ジョイント式ルアー５０は、屈曲アクションを魚に似せた自然な泳ぎにできる。
【００３６】
第２ジョイント式ルアー５０も、リトリーブによって図７に示す状態から左右反対方向への屈曲アクションが起こされる。この屈曲アクションも、第２抵抗体５１によって生じる摺動抵抗によって屈曲速度が抑えられて自然な屈曲アクションとなる。よって、第２ジョイント式ルアー５０も、自然な屈曲アクションで連続的に泳がせることが可能となる。
【００３７】
（第３実施形態に係る第３ジョイント式ルアー）
図８及び図９に基づいて、第３実施形態に係る第３ジョイント式ルアー６０を説明する。上記した第１実施形態に係る第１ジョイント式ルアー１０と同一の構成には同一符号を付し、その説明は省略する。
【００３８】
図８に示すように、第３ジョイント式ルアー６０は、抵抗部たる第３抵抗体６１が第一ボディ１１の支持軸２１に支持される支持穴６３を具備する支持部６２と、支持部６２から第二ボディ１２の方向に延びる係合部たる係合軸６４と、を有している。第二ボディ１２には、第３抵抗体６１の係合軸６４を挿入する凹状部たるスライド穴６５が設けられている。スライド穴６５は、第二ボディ１２の左右方向中心位置に設けられている。スライド穴６５は、係合軸６４と所定の隙間Ｓを有する大きさで形成されている。スライド穴６５は、前後方向に延在している。スライド穴６５は、係合軸６４が円形の場合は円形穴、角形の場合は角形穴とすることができる。第３抵抗体６１の係合軸６４は、第二ボディ１２が最も屈曲した状態でスライド穴６５に所定長さ分が挿入された状態を保つ長さとなっている（例えば、図９の状態）。第３抵抗体６１は、第二ボディ１２に向けて突出した係合軸６４が、第二ボディ１２のスライド穴６５に収容されている。第３抵抗体６１は、下面が抵抗体収容部３６に接した状態で設けられている（図２の第１抵抗体３１と同様）。
【００３９】
図９に示すように、第３ジョイント式ルアー６０によれば、第一ボディ１１に対して第二ボディ１２が屈曲アクションを起こすと、スライド穴６５も一体的に屈曲する。そして、第二ボディ１２のスライド穴６５が第３抵抗体６１の係合軸６４に接触する。その後、第二ボディ１２の屈曲によりスライド穴６５がさらに屈曲する。これにより、係合軸６４が挿入された第３抵抗体６１が支持軸２１を中心に回動する。
【００４０】
第３抵抗体６１は、支持部６２の支持穴６３と支持軸２１との間の接触面Ｆ１で回動抵抗を生じる。また、支持部６２の下面と抵抗体収容部３６との間の接触面Ｆ２（図２参照）で摺動抵抗を生じる。さらに、係合軸６４とスライド穴６５との間でもスライド方向に摺動抵抗を生じる。第３抵抗体６１は、これらの抵抗により回動速度が抑えられる。これにより、第３ジョイント式ルアー６０は、第一ボディ１１に対して屈曲アクションを起こす第二ボディ１２の屈曲速度を抑えることができる。よって、第３ジョイント式ルアー６０は、屈曲アクションを魚に似せた自然な泳ぎにできる。
【００４１】
第３ジョイント式ルアー６０も、リトリーブによって図９に示す状態から左右反対方向への屈曲アクションが起こされる。この屈曲アクションも、第３抵抗体６１によって生じる抵抗によって屈曲速度が抑えられて自然な屈曲アクションとなる。よって、第３ジョイント式ルアー６０も、自然な屈曲アクションで連続的に泳がせることが可能となる。
【００４２】
（変形実施形態）
第一ボディ１１と第二ボディ１２とは、連結部２０の配置関係が前後で逆でもよい。例えば、第１実施形態における第１ジョイント式ルアー１０の場合、ヘッド側ボディの第二ボディ１２に支持軸２１と第１抵抗体３１とが備えられ、テール側ボディの第一ボディ１１に係合軸３５が備えられた構成とすることができる。第２ジョイント式ルアー５０及び第３ジョイント式ルアー６０も同様に前後逆の配置とすることができる。
【００４３】
また、上記した隙間Ｓと第二ボディ１２の屈曲角度θ１及びθ２も一例である。隙間Ｓがなく、抵抗体３１，５１，６１が第二ボディ１２の屈曲初めから回動又はスライドするように構成することもできる。
【００４４】
さらに、上記した実施形態は一例を示しており、第一ボディ１１及び第二ボディ１２は、図示するように左右が一体となった一体式でも、左右に分割される分割式でもよい。ジョイント式ルアーを構成する各部は、本発明の要旨を損なわない範囲で変更することは可能であり、本発明は上記した実施形態に限定されるものではない。
【００４５】
また、上記した各実施形態における構成を組み合わせてもよい。例えば、第２ジョイント式ルアー５０のように、抵抗体収容部３６の底面を傾斜面３７にして摺動抵抗を生じさせる構成を他の実施形態において組み合わせてもよい。
【符号の説明】
【００４６】
１０  第１ジョイント式ルアー
１１  第一ボディ
１２  第二ボディ
２０  連結部
２１  支持軸
２２  連結リング
３０  抵抗部
３１  第１抵抗体
３２  支持穴（穴部）
３３  アーム
３４  接触部
３５  係合軸（係合部）
３６  抵抗体収容部
３７  傾斜面
５０  第２ジョイント式ルアー
５１  第２抵抗体
５２  長穴（開口穴）
５３  アーム
５４  接触部
５５  角部
６０  第３ジョイント式ルアー
６１  第３抵抗体
６２  支持部
６３  支持穴（穴部）
６４  係合軸（係合部）
６５  スライド穴（凹状部）
【図１】
2019097526.tif 000003
【図２】
2019097526.tif 000004
【図３】
2019097526.tif 000005
【図４】
2019097526.tif 000006
【図５】
2019097526.tif 000007
【図６】
2019097526.tif 000008
【図７】
2019097526.tif 000009
【図８】
2019097526.tif 000010
【図９】
2019097526.tif 000011